(57)【要約】【課題】ＩＣタグ付きの商品を効率的に管理できるようにした回転式の商品陳列装置を提供すること。【解決手段】基台１１と、基台１１に立設した支柱１２と、支柱１２に対しそれを中心に回転可能な状態で取り付けた陳列部１３と、陳列部１３を囲むようにして支柱１２の上下を連結する樹脂製の補助枠１４とを備え、補助枠１４と支柱１２とを周回する状態でタグリーダーのアンテナ１５を内蔵させた構成とする。陳列部１３を回転させることにより、商品に付いたＩＣタグのアンテナとタグリーダーのアンテナ１５相互の向きが変化するため、陳列部１３に載っている全ての商品のＩＣタグの読取率が向上する。【選択図】図１
2007296271.tif 000002
【特許請求の範囲】
【請求項１】
ＩＣタグが付いた商品を陳列する商品陳列装置であって、基台と、基台に立設した支柱と、支柱に対しそれを中心に回転可能な状態で取り付けた陳列部と、陳列部を囲むようにして支柱の上下を連結する樹脂製の補助枠とを備え、補助枠と支柱とを周回する状態でタグリーダーのアンテナを内蔵させたことを特徴とする商品陳列装置。
【請求項２】
基台に装置全体を移動可能とするための手段を取り付けたことを特徴とする請求項１に記載の商品陳列装置。
【発明の詳細な説明】
【技術分野】
【０００１】
本発明は、店頭において、書籍類、ディスク類、雑貨類を始めとする各種の商品を陳列するために用いられる回転式の商品陳列装置に関するものである。
【背景技術】
【０００２】
従来より、書店やコンビニエンスストアなどの店頭において、各種の書籍類、パッケージに入れたビデオディスクやコンパクトディスクのようなディスク類、箱入りの高級下着などの雑貨類を始めとする各種の商品を陳列するために、上下方向に長い回転式の商品陳列装置が広く利用されている。通常、このタイプの商品陳列装置は、移動可能な基台に立設した支柱を中心に回転する陳列部を有しており、その陳列部に商品を立てた状態で並べるように構成されている。そして、消費者は、陳列部を回転させながら所望の商品を選んで購入することができるようになっている。
【特許文献１】登録実用新案第３１１２５２６号公報
【特許文献２】特開２００３−５２５０１号公報
【発明の開示】
【発明が解決しようとする課題】
【０００３】
上記した回転式の商品陳列装置は、店頭における少しのスペースを利用して設置することができ、しかも多くの商品を陳列することができる。また、移動可能であるため目立つところに設置できるので、販売促進の効果が大きいという利点もある。しかしながら、商品が売れて空きができても、その空きスペースが裏側だと見えにくいため、補充を忘れるということがある。
【０００４】
一方、最近では、棚上に置かれた商品を管理する手段として、ＩＣタグを利用した方法が知られている。すなわち、商品毎にＩＣタグを取り付けておき、棚に並んだ商品に手で持ったタグリーダーを近づけて順になぞり、商品毎のＩＣタグを読み取ることにより管理することが行われるようになってきている。ところが、平面的な通常の棚の場合は並んでいる商品をタグリーダーでなぞるのは比較的簡単であるが、上記したような回転式の商品陳列装置では、商品が平坦に並んでいないため、タグリーダーでなぞるのは簡単ではなく、余計な手間がかかってしまう。
【０００５】
本発明は、上記のような問題点に鑑みてなされたものであり、その目的とするところは、ＩＣタグ付きの商品を効率的に管理できるようにした回転式の商品陳列装置を提供することにある。
【課題を解決するための手段】
【０００６】
上記の目的を達成するため、本発明の商品陳列装置は、ＩＣタグが付いた商品を陳列する商品陳列装置であって、基台と、基台に立設した支柱と、支柱に対しそれを中心に回転可能な状態で取り付けた陳列部と、陳列部を囲むようにして支柱の上下を連結する樹脂製の補助枠とを備え、補助枠と支柱とを周回する状態でタグリーダーのアンテナを内蔵させたことを特徴としている。
【０００７】
そして、上記の商品陳列装置において、基台に装置全体を移動可能とするための手段を取り付けた構成としてもよい。
【発明の効果】
【０００８】
本発明の商品陳列装置は、陳列部を回転させることにより、商品に付いたＩＣタグのアンテナとタグリーダーのアンテナ相互の向きが変化するため、陳列部に載っている全ての商品のＩＣタグの読取率を向上させることができることから、手で持ったタグリーダーで商品をなぞって情報を読み取るようなことをしなくても、効率良く管理することができる。したがって、欠品を把握することができ、この情報をもとに自動発注を行うことも可能となる。
【発明を実施するための最良の形態】
【０００９】
以下、具体例を挙げて本発明の実施の形態について説明する。
【００１０】
図１は本発明に係る商品陳列装置の一例を示す斜視図である。
【００１１】
この商品陳列装置Ａは、ＩＣタグが付いた商品を陳列するためのものである。このような商品としては、例えば、図２に示すような書籍１、図３に示すような樹脂ケースに入ったビデオディスク２、図４に示すような箱入り商品３が挙げられる。図２の書籍１は表紙の背の部分にＩＣタグＴを装着してあり、図３のビデオディスク２は樹脂ケースの背の部分にＩＣタグＴを装着してあり、図４の箱入り商品３は箱の横側にＩＣタグＴを装着している。なお、商品の種類はこれらに限定されるものではない。
【００１２】
商品陳列装置Ａは、図示のように、基台１１と、基台１１に立設した支柱１２と、支柱１２に対しそれを中心に回転可能に取り付けた陳列部１３と、陳列部１３を囲むようにして支柱１２の上下を連結する樹脂製の補助枠１４とを備えている。陳列部１３は樹脂からなる３段の受け板１３ａ，１３ｂ，１３ｃと同じく樹脂からなる最上部の天板１３ｄとで構成されており、これらが一体となって支柱１２に対して回転可能になっている。この例では陳列部１３にＩＣタグ付きの書籍１が並べられている。そして、この商品陳列装置Ａには、図の点線で示すように、補助枠１４と支柱１２とを周回する状態でタグリーダーのアンテナ１５が内蔵されている。
【００１３】
商品に取り付けるＩＣタグＴは、周知のＲＦＩＤ（無線による自動認識技術）タグであって、主にＩＣチップで構成される記憶部と、通信部及びアンテナからなっており、記憶部はリードライトが可能になっている。中でも、インレット型と呼ばれる小型のものが好適である。このインレット型のＩＣタグは、０．０１〜０．５ｍｍ角の小さなＩＣチップを用い、これに長さ５０〜６０ｍｍの外部アンテナを装着して幅が約１ｍｍのテープ状としたものであり、ＩＣチップはＰＥＴフィルム等の絶縁性のベースフィルム上に載置接合され、外部アンテナはそのベースフィルム上に印刷により形成される。
【００１４】
一方、タグリーダーは、それ自身のアンテナ１５とＩＣタグＴのアンテナとの間で電波の送受信を行う周知のもので、非接触で各種商品の情報が同時に読取り可能になっている。そして、タグリーダーのアンテナ１５には読取り部としてのリーダー回路が接続され、リーダー回路には管理端末としてのパソコンが接続されている。
【００１５】
この商品陳列装置Ａにおける商品の管理方法は次のようである。まず、商品陳列装置Ａに接続されたパソコンに、陳列部１３に並べられた書籍１の種類と数などの情報を予め入力しておく。そして、陳列部１３を回転させながら、各書籍１のＩＣタグＴに書き込まれた物品情報を読み取るようにする。この場合、陳列部１３を回転させることにより、書籍１に付いたＩＣタグＴのアンテナとタグリーダーのアンテナ１４相互の向きが色々と変化するため、陳列部１３に載っている全ての書籍１のＩＣタグＴの読取率が向上する。
【００１６】
そして、アンテナ１４により検出された情報の信号はリーダー回路に入力され、リーダー回路からパソコンへと送られる。パソコンでは、入力された信号により、どの書籍がどの受け板１３ａ〜１３ｃにいくつ残っているかを自動的に確認することができる。したがって、手で持ったタグリーダーで書籍をなぞって情報を読み取る必要がなく、効率良く管理することができる。そしてこの情報をもとに欠品となった書籍を自動発注することもできる。
【００１７】
図４は本発明に係る商品陳列装置の別の例を示す斜視図である。
【００１８】
この商品陳列装置Ｂは、図１に示したものと同様な構成をしており、陳列部１３を囲むようにして支柱１２の上下を連結する樹脂製の補助枠１４が３つ設けられている点だけが異なっている。そして、この商品陳列装置Ｂには、図の点線で示すように、それぞれの補助枠１４と支柱１２とを周回する状態でタグリーダーのアンテナ１５が３本内蔵されている。
【００１９】
この商品陳列装置Ｂでの商品の管理方法も図１に示したものと同様である。すなわち、陳列部１３を回転させることにより、書籍１に付いたＩＣタグＴのアンテナとタグリーダーのアンテナ１５相互の向きが色々と変化するため、陳列部１３に載っている全ての書籍１のＩＣタグＴの読取率が向上する。しかも、タグリーダーのアンテナ１５が３本もあるため、読取りが一層確実なものとなる。そして、リーダー回路に接続されたパソコンによりどの書籍がいくつ残っているかを自動的に確認することができる。
【００２０】
以上、具体例を挙げて本発明を説明したが、本発明による回転式の商品陳列装置は、上記の例に何ら限定されるものではなく、本発明の趣旨を逸脱しない範囲において種々の変更が可能であることは当然のことである。
【００２１】
例えば、上記の例では陳列部を手で回すようにしたが、モーターで回転させるようにしてもよい。この場合、一日の決まった時間に回転させるようにすれば、在庫管理を自動的に行わせることもできる。
【００２２】
また、上記の例では補助枠が１本と３本のタイプを挙げたが、２本でも４本でも構わない。そして、補助枠の形状についても、図示のような棒状に限るものではなく、商品の設置や取出しの際の大きな邪魔にならないように気をつけさえすれば、任意の形状でよいものである。
【００２３】
また、上記で示した商品陳列装置は、いずれも基台が設置タイプであるが、基台の裏側にキャスターを付けるなどして、装置全体を移動可能としてもよい。
【００２４】
また、上記で示した商品陳列装置は、陳列部が円板状の棚になっているが、陳列部の態様としては、針金を作った棚や吊下部材で構成してもよい。そして、陳列部が吊下部材を備えている場合は、商品として例えば図６や図７に示すような吊下商品４，５を陳列する。これらのうち図６の吊下商品４はパッケージ入り書籍で、正面下部にＩＣタグＴを装着してあり、図７の吊下商品５は玩具などを入れたビニール袋の上部を厚紙製の吊下板５ａで留めたものであり、その吊下板５ａにＩＣタグＴを装着している。
【図面の簡単な説明】
【００２５】
【図１】本発明に係る商品陳列装置の一例を示す斜視図である。
【図２】ＩＣタグ付き商品の一例としての書籍を示す斜視図である。
【図３】ＩＣタグ付き商品の一例としてのビデオディスクを示す斜視図である。
【図４】ＩＣタグ付き商品の一例としての箱入り商品を示す斜視図である。
【図５】本発明に係る商品陳列装置の別の例を示す斜視図である。
【図６】ＩＣタグ付き商品の一例としての吊下商品を示す斜視図である。
【図７】ＩＣタグ付き商品の一例としての吊下商品を示す斜視図である。
【符号の説明】
【００２６】
Ａ，Ｂ  商品陳列装置
Ｔ  ＩＣタグ
１  書籍
２  ビデオディスク
３  箱入り商品
４，５  吊下商品
１１  基台
１２  支柱
１３  陳列部
１３ａ〜１３ｃ  受け板
１３ｄ  天板
１４  補助枠
１５  アンテナ
【図１】
2007296271.tif 000003
【図２】
2007296271.tif 000004
【図３】
2007296271.tif 000005
【図４】
2007296271.tif 000006
【図５】
2007296271.tif 000007
【図６】
2007296271.tif 000008
【図７】
2007296271.tif 000009